(57)【要約】【課題】プロジェクターを一体に備え付けることができる、スクリーン機能を有するボードを提供することを課題とする。【解決手段】少なくともスクリーン機能を有する固定式又は移動式のボード７であって、その上部又は側部に、プロジェクター取付け部２１を具備したアーム２２が取り付けられ、プロジェクター取付け部２１にプロジェクター２３が設置される。アーム２２は、プロジェクター２３の吊り下げ角度の変更が可能に構成され、また、プロジェクター２３の水平旋回位置の変更が可能に構成される。ボード７は、スクリーン専用ボード又はスクリーン機能と筆記機能とを併せ有するボードである。【選択図】図１
2010058524.tif 000002
【特許請求の範囲】
【請求項１】
少なくともスクリーン機能を有する固定式又は移動式のボードであって、その上部又は側部に、プロジェクター取付け部を具備したアームが取り付けられていることを特徴とするスクリーン機能を有するボード。
【請求項２】
前記プロジェクター取付け部に予めプロジェクターが取り付けられている、請求項１に記載のスクリーン機能を有するボード。
【請求項３】
前記アームは、前記プロジェクター取付け部に取り付けられるプロジェクターの吊り下げ角度の変更が可能に構成される、請求項１又は２に記載のスクリーン機能を有するボード。
【請求項４】
前記アームは、前記プロジェクター取付け部に取り付けられるプロジェクターの水平旋回位置の変更が可能に構成される、請求項１乃至３のいずれかに記載のスクリーン機能を有するボード。
【請求項５】
前記ボードは、スクリーン専用ボード又はスクリーン機能と筆記機能とを併せ有するボードである、請求項１乃至４のいずれかに記載のスクリーン機能を有するボード。
【請求項６】
前記ボードは、メインボードの前面に横方向に移動可能に配置されるサブボードとして構成されるものである、請求項１乃至５のいずれかに記載のスクリーン機能を有するボード。
【発明の詳細な説明】
【技術分野】
【０００１】
本発明はスクリーン機能を有するボードに関するものであり、より詳細には、学校等の教育機関や関連施設、あるいは、一般企業等で使用されるものであって、少なくともスクリーン機能を有していて、プロジェクターを一体に備え付け可能なスクリーン機能を有するボードに関するものである。
【背景技術】
【０００２】
世界の情報化社会の発展進化に伴い、学校などの教育現場や企業の研修室等での表現形式として用いられてきた、チョーク書き込み式黒板やマーカー書き込み式白板（ホワイトボード）等の旧来の形態から、情報の表現方式に対する時代の要求として電子黒板（電子ボード）による表現方式の要求の高まりが強くなってきている。
【０００３】
しかるに、従来のボードの場合は、電子ボードの機能を発揮させるために必須のプロジェクターを一体に設置することについての配慮がなく、別途プロジェクターを設置するためのスペースや設置台等を用意する必要があり、それは、使用者にとって煩わしく負担となることであった。
【先行技術文献】
【特許文献】
【０００４】
【特許文献１】特許第３９５０８３７号公報
【特許文献２】特開２００１−１２５７３６号公報
【特許文献３】特開２０００−２２５７９７号公報
【発明の概要】
【発明が解決しようとする課題】
【０００５】
本発明は、上記従来のプロジェクター使用上の問題点を解決するためになされたもので、別途プロジェクター設置台や設置スペース等を考えることなく、手軽にプロジェクターを利用することができるスクリーン機能を有するボードを提供することを課題とする。
【課題を解決するための手段】
【０００６】
上記課題を解決するための請求項１に記載の発明は、少なくともスクリーン機能を有する固定式又は移動式のボードであって、その上部又は側部に、プロジェクター取付け部を具備したアームが取り付けられていることを特徴とするスクリーン機能を有するボードである。
【０００７】
前記プロジェクター取付け部に、予めプロジェクターが取り付けられていることがある。好ましくは、前記アームは、前記プロジェクター取付け部に取り付けられるプロジェクターの吊り下げ角度の変更が可能に構成され、また、前記アームは、前記プロジェクター取付け部に取り付けられるプロジェクターの水平旋回位置の変更が可能に構成される。
【０００８】
前記スクリーン機能を有するボードは、一実施形態においては、スクリーン専用ボードであり、他の実施形態においては、スクリーン機能を合わせ有する筆記ボードである。
【０００９】
また、一実施形態においては、前記ボードは、メインボードの前面に横方向に移動可能に配置されるサブボードとして構成される。
【発明の効果】
【００１０】
本発明は上述したとおりであって、本発明に係るスクリーン機能を有するボードは、少なくともスクリーン機能を有する固定式又は移動式のボードであって、その上部又は側部に、プロジェクター取付け部を備えたアームが設置されていて、プロジェクターはそこに取り付けられて使用されるため、別途プロジェクター設置台や設置スペース等を考えて用意する必要がなく、そのための手間が省け、手軽にプロジェクターを利用することができる効果がある。
【図面の簡単な説明】
【００１１】
【図１】本発明の一実施形態を示す正面図である。
【図２】本発明の他の実施形態を示す正面図である。
【発明を実施するための形態】
【００１２】
本発明を実施するための形態について、添付図面を参照しつつ説明する。図１は、本発明に係るスクリーン機能を有するボードの一実施形態として、壁面固定式の大型ボードに組み込まれた例を示す正面図である。そこに示されている固定式ボードは、メインボード１と、その前面に配置されて、メインボード１上の任意の位置に移動させることができるサブボード７とから構成されていて、そのサブボード７が、本発明に係るスクリーン機能を有するボードに相当する。
【００１３】
サブボード７は、少なくとも映写スクリーンの機能を有するものであり、スクリーン専用ボードである場合と、更に筆記機能を備えた複合ボードである場合とがある。複合ボードの場合は、ボード面として、研ぎ出し加工、焼き付け加工等により筆記面を形成するに当たり、その筆記面を薄有色にすると共に、表面粗さをチョーク及びマーカーの使用及びその払拭に適した範囲、即ち、ＪＩＳ  Ｂ  ０６０１表面粗さの規格における最大高さＲｙの範囲を、基準長さ２．５ｍｍにおいて４．９乃至１０．５μｍに設定したものを用いる。その色は、例えば、薄いグレー、グリーン、ブルー、ベージュ又はピンクとされる。
【００１４】
この多機能な複合ボード面は、本願出願人が開発したものであって、筆記面がスクリーンとしての使用に適する薄有色であって、表面粗さがチョーク及びマーカーの使用及びその払拭に適した範囲であるため、一つの筆記面にてチョークボード、マーカーボード、更にはスクリーンとしての利用が可能となるものである。
【００１５】
サブボード７は、その上部（上枠）又は側部（側枠）に、先端にプロジェクター取付け部２１を備えたアーム２２を備える。アーム２２は、例えば、一又は複数の屈曲部が形成されて折り畳み可能にされ、あるいは、途中に自在継ぎ手を有するものとされ、あるいは、捩り及び湾曲が可能な資材製とされる等により、アーム２２を適宜引き出すことにより、プロジェクター取付け部２１に取り付けられるプロジェクター２３の吊り下げ角度、及び、水平旋回位置を変更することができるようにされる。かくして、プロジェクター２３を、スクリーンとなるサブボード７のボード面に正対させることが容易となる。プロジェクター２３は、予めプロジェクター取付け部２１に取り付けられていることもあるが、使用時等に取り付けられることもある。
【００１６】
メインボード１のボード面１ａは、多くの場合黒板又はホワイトボードであるが、スクリーン、感圧式電子ボード、あるいは、掲示板等とすることもできる。また、上述したような複合ボード面とすることもできる。
【００１７】
サブボード７は、メインボード１上の任意の位置に移動可能な構成とされる。そのための構成としては、メインボード１の上枠及び下枠に沿ってガイドレール４、５を備え付け、また、サブボード７に上下のガイドレール４、５に係合して転動又は摺動するレール係動手段を取り付け、該レール係動手段をガイドレール４、５に係合させることによって、サブボード７を設置することが考えられる。
【００１８】
本発明に係るスクリーン機能を有するボードは、壁面固定式に構成するだけでなく、下端にキャスターを備えたスタンド２０に設置される移動式として構成することもできることは言うまでもない（図３参照）。
【００１９】
また、他の実施形態においては、サブボード７の枠部分に、ホワイトボードレコーダが埋設等により設置される。このホワイトボードレコーダは、それ専用の電子マーカーペンと組み合わせて使用するもので、その電子マーカーペンで、ホワイトボード仕様のサブボード７に筆記すると、その筆記文字や絵が、ホワイトボードレコーダを介し、電子データとしてリアルタイムにパソコンに転送・記憶されるものである。
【００２０】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【符号の説明】
【００２１】
１        メインボード
１ａ      ボード面
４、５    ガイドレール
７        サブボード
７ａ      ボード面
２０      スタンド
２１      プロジェクター取付け部
２２      アーム
２３      プロジェクター
【図１】
2010058524.tif 000003
【図２】
2010058524.tif 000004